(57)【要約】【課題】室内側から室内側および室外側のハンドルを施錠可能にするとともに、室内側のハンドルを開方向へ操作するだけで室内側および室外側のハンドルを解錠可能とする。【解決手段】内側施錠機構７が扉３の内壁面側に配置されるプルハンドル１またはプッシュハンドル２における軸着部裏面に形成した凹部または凸部からなる第１係止部７１にプルハンドル１またはプッシュハンドル２の閉止位置において係止するとともにプルハンドル１またはプッシュハンドル２の開放位置において第１係止部７１と離脱する凸部または凹部からなる第２係止部７２を有するとともに操作摘７３を取付座５に露出させた操作片７４と操作片７４を常時は前記離脱位置に留めておくための付勢部材７５とからなる。【選択図】        図６
2004218191.tif 000002
【特許請求の範囲】
【請求項１】
扉の内外壁面にそれぞれ配置される取付座の蝶着軸に基端を回動可能に軸着させて取り付けられるプルハンドルまたはプッシュハンドルと、前記扉の縦框に開口した埋込溝に配置されて前記各プッシュプルハンドルの開閉操作によりラッチが出没して施解錠する錠本体とを有するプッシュプル錠の施錠装置であって、前記内壁面に配置された取付座に設けたプルハンドルまたはプッシュハンドルの施解錠を行う内側施錠機構と、前記外壁面に配置された取付座に設けたプッシュハンドルまたはプルハンドルの施解錠を行う外側施錠機構と、前記内側施錠機構と外側施錠機構とを連動させる連結部材とを有し、前記内側施錠機構が前記扉の内壁面側に配置されるプルハンドルまたはプッシュハンドルにおける軸着部裏面に形成した凹部または凸部からなる第１係止部に前記プルハンドルまたはプッシュハンドルの閉止位置において係止するとともに前記プルハンドルまたはプッシュハンドルの開放位置において前記第１係止部と離脱する凸部または凹部からなる第２係止部を有するとともに操作摘を前記取付座に露出させた操作片と前記操作片を常時は前記離脱位置に留めておくための付勢部材とからなることを特徴とするプッシュプル錠の施錠装置。
【請求項２】
前記外側施錠機構が、前記扉の外壁面側に配置されるプッシュハンドルまたはプルハンドルの軸着部裏面に形成した規制面と、前記プッシュハンドルまたはプルハンドルの取付座において前記規制面位置に挿脱可能に配置された規制板とからなる請求項１記載のプッシュプル錠の施錠装置。
【請求項３】
前記内側施錠機構と外側施錠機構とを連動させる連結部材が、前記扉の縦框に開口した埋込溝を貫通させて両端を前記扉の内外壁面にそれぞれ配置される取付座に軸着させた連結軸と、前記連結軸の両端にそれぞれ設けられて前記操作片或いは前記規制板に偏心軸を軸着させた一対の偏心カムとからなる請求項１または２記載のプッシュプル錠の施錠装置。
【請求項４】
前記連結軸の軸端が扉の外側に配置した取付座に露出しているとともに前記軸端に回転操作具用の操作溝が形成されている請求項３記載のプッシュプル錠の施錠装置。
【発明の詳細な説明】
【０００１】
【発明の属する技術分野】
本発明は、プッシュプル錠の施錠装置に関するものである。
【０００２】
【従来の技術】
従来、回転式のハンドル錠のように開閉時にハンドルを回転させることなく、ハンドルを扉の開閉方向に押すか或いは引くだけの操作で済むことからプッシュプル錠がハンドル錠に代わって用いられており、玄関などだけでなく浴室など室内の扉にも用いられるようになってきている。
【０００３】
そして、施錠装置として内側から開閉が可能なサムターンが用いられていた。
【０００４】
しかしながら、通常、サムターンの開閉操作は小型のハンドルを摘んで回転させるものであり、操作がし難いという欠点があり、殊に、最近のマンションやホテルなどでは室内に窓などの開口部が無い場合があり、例えば停電のときなどに施錠した室内が真っ暗になり、サムターンの位置を探して解錠することが困難で、パニックに陥る心配がある。
【０００５】
【発明が解決しようとする課題】
本発明はこのような実情に鑑みてなされたものであり、室内側から室内側および室外側のハンドルを施錠可能にするとともに、室内側のハンドルを開方向へ操作するだけで室内側および室外側のハンドルを解錠可能なプッシュプル錠の施錠装置を提供するものである。
【０００６】
【課題を解決するための手段】
そこで、本発明は、扉の内外壁面にそれぞれ配置される取付座の蝶着軸に基端を回動可能に軸着させて取り付けられるプルハンドルまたはプッシュハンドルと、前記扉の縦框に開口した埋込溝に配置されて前記各プッシュプルハンドルの開閉操作によりラッチが出没して施解錠する錠本体とを有するプッシュプル錠の施錠装置であって、前記内壁面に配置された取付座に設けたプルハンドルまたはプッシュハンドルの施解錠を行う内側施錠機構と、前記外壁面に配置された取付座に設けたプッシュハンドルまたはプルハンドルの施解錠を行う外側施錠機構と、前記内側施錠機構と外側施錠機構とを連動させる連結部材とを有し、前記内側施錠機構が前記扉の内壁面側に配置されるプルハンドルまたはプッシュハンドルにおける軸着部裏面に形成した凹部または凸部からなる第１係止部に前記プルハンドルまたはプッシュハンドルの閉止位置において係止するとともに前記プルハンドルまたはプッシュハンドルの開放位置において前記第１係止部と離脱する凸部または凹部からなる第２係止部を有するとともに操作摘を前記取付座に露出させた操作片と前記操作片を常時は前記離脱位置に留めておくための付勢部材とからなる。
【０００７】
室内側の取付座に設けられた操作片を付勢部材の付勢力に抗して扉の内外壁面に配置されるプルハンドルまたはプッシュハンドルの施錠位置に移動させて第２係止部と第１係止部とを係止させて内側施錠機構を施錠状態にするとともに、連結部材を介して外側施錠機構も施錠状態になる。
【０００８】
扉の内外壁面に配置されるプルハンドルまたはプッシュハンドルを引くかまたは押すと、第２係止部と第１係止部との係止状態が解除されて付勢部材による付勢力により操作片が元の解錠位置に復帰するとともに、連結部材を介して外側施錠機構が解錠するので扉が開放する。
【０００９】
また、前記解錠装置において、前記外側施錠機構が、前記扉の外壁面側に配置されるプッシュハンドルまたはプルハンドルの軸着部裏面に形成した規制面と、前記プッシュハンドルまたはプルハンドルの取付座において前記規制面位置に挿脱可能に配置された規制板とからなる場合には簡単な機構で確実に扉の外壁面側に配置されるプッシュハンドルまたはプルハンドルを施解錠することができる。
【００１０】
更に、前記内側施錠機構と外側施錠機構とを連動させる連結部材が、前記扉の縦框に開口した埋込溝を貫通させて両端を前記扉の内外壁面にそれぞれ配置される取付座に軸着させた連結軸と、前記連結軸の両端にそれぞれ設けられて前記操作片或いは前記規制板に偏心軸を軸着させた一対の偏心カムとからなる場合には前記両施錠機構が確実に連動するばかりか、前記連結軸の軸端が扉の外側に配置した取付座に露出しているとともに前記軸端に回転操作具用の操作溝が形成されている場合には、非常の場合などに外側から施錠状態を解除することもできる。
【００１１】
【発明の実施の形態】
次に、本発明の実施の形態を図面に基づいて説明する。
【００１２】
図面は、室内側にプルハンドル１を、室外側にプッシュハンドル２を配置した場合の本発明の実施の形態の一例を示すものであり、プルハンドル１およびプッシュハンドル２はそれぞれ硬質合成樹脂製の板状に形成され、室内側へと開放する扉３の内壁面３１と外壁面３２とにそれぞれ配置した金属製または硬質合成樹脂製の取付座本体４１，５１と硬質の合成樹脂製のカバー４２，５２とからそれぞれ構成される取付座４，５に蝶着されている。
【００１３】
更に、詳しく説明すると、プルハンドル１およびプッシュハンドル２は、取付座本体４１，５１にそれぞれ上下方向に設けられた蝶着軸４３，５３に硬質合成樹脂製のプルハンドル軸着部１１およびプッシュハンドル軸着部２１を介して軸着されている。
【００１４】
また、蝶着軸４３，５３には、扉３の縦框３３に形成された掘込溝３４内に突出したプルアーム４４およびプッシュアーム５４が軸着されており、これらのプルアーム４４およびプッシュアーム５４が前記縦框３３に沿って掘込溝３４に取り付けた錠本体６に収装されたラッチボルト６１に係合している。
【００１５】
そして、プルハンドル１を押すか、またはプッシュハンドル２を引くと、プルハンドル軸着部１１またはプッシュハンドル軸着部２１を介してプルアーム４４またはプッシュアーム５４が復帰バネ４５，５５の付勢力に抗して回動し、ラッチボルト６１を引いてラッチ６２を前板６３から没入させて扉枠に取り付けたストライク（図示せず）から後退して施錠状態を解除して扉を開閉できるものである。
【００１６】
更に、本実施の形態では、前記プルハンドル１側に内側施錠機構７が、プッシュハンドル２側に外側施錠機構８が設けられているともに、前記内側施錠機構７と外側施錠機構８とを連動させる連結部材９が設けられている。
【００１７】
そして、内側施解錠機構７は、プルハンドル１における軸着部１１裏面に形成した凹部からなる第１係止部７１と、プルハンドル１の閉止位置において係止するとともにプルハンドル１の開放位置において前記第１係止部と離脱する凸部からなる第２係止部７２を上部に有するとともに操作摘７３を前記取付座４のカバー４２に形成した窓孔４６から露出させた操作片７４と、前記操作片７４を常時は前記離脱位置に留めておくためのコイルバネである付勢部材７５とからなる。
【００１８】
また、外側施錠機構８は、プッシュハンドル２の軸着部２１裏面に形成した規制面８１と、前記プッシュハンドル２の取付座２１において上下方向に移動することにより前記規制面８１位置に挿脱可能に配置された規制板８２とからなる。
【００１９】
更に、前記内側施錠機構７と外側施錠機構８とを連動させる連結部材９は、前記扉３の縦框３１に開口した埋込溝３４を貫通させて両端９１および９２を前記扉３の内外壁面３１，３２にそれぞれ配置される取付座本体４１，５１に軸着させた連結軸９３と、前記連結軸９３の両端に一対の偏心カム９４，９５がそれぞれ設けられており、これらの偏心カム９４，９５の偏心軸９６，９７が前記内側施解錠機構７の操作片７４および外側施錠機構８の規制板８２にそれぞれ設けられたカム孔７６およびカム溝８３に挿入されている。
【００２０】
尚、前記連結軸９３の軸端は扉３の外側に配置した取付座５に露出しているとともに軸端に回転操作具（図示せず）用の操作溝９８が形成されている。
【００２１】
このような本実施の形態は、常時は解錠状態にあり、室外側からプッシュハンドル２を押すことにより、或いは室内側からプルハンドルを引くことにより、扉を自由に開閉でき、室内側に入った人が施錠するには、室内側に配置されている取付座１１に露出している操作摘７３を摘んで操作片７４を付勢部材７５に抗して上方へ移動させて凸部からなる第２係止部７２をプルハンドル１における軸着部１１裏面に形成した凹部からなる第１係止部７１に係止させる。
【００２２】
このとき、操作片７４の上方への移動に伴いに操作片７４に形成したカム孔７６係止した偏心軸９６が上方へ向けて回転して偏心カム９４を介して連結軸９３が回転する。従って、連結軸９３のプッシュハンドル２側に設けられている偏心カム９５が回転して偏心軸９６が上方へ向けて回転して係合しているカム溝８３を介して規制板８２を上方へと移動させ、規制板８２の上部がプッシュハンドル２の軸着部２１裏面に形成した規制面８１と接合し、プッシュハンドル２の開閉動作を規制して施錠状態を形成する。
【００２３】
従って、外側からプッシュハンドル２を引いても規制板８２がプッシュハンドル２の軸着部２１裏面に形成した規制面８１と接合して回動を阻止するので扉３は開けることができない。
【００２４】
また、内側から施錠状態を解除して扉３を開放するには、プルハンドル１を引けばよい。即ち、プルハンドル１を引くと、プルハンドル１の軸着部１１裏面に形成した第１係止部７１と操作片７４に設けた第２係止部７２との係合が解除され、操作片７４が付勢部材７５の付勢力によって元の下方位置に復帰する。
【００２５】
そのため、連結軸９３が前記施錠時と逆の方向に回転して規制板８２が下方の元の位置に復帰してプッシュハンドル２の軸着部２１裏面に形成した規制面８１との接合状態が解除され、プルハンドル１の規制が解除されラッチボルト６１を引いてラッチ６２を前板６３から没入させて扉枠に取り付けたストライク（図示せず）から後退して扉を開閉できるものである。
【００２６】
このように、本実施の形態は、室内側に配置されている取付座１１に露出している操作摘７３を摘んで操作片７４を施錠位置に移動させるだけで室内側および室外側ともに簡単且つ確実に施錠することができ、従来のようにサムターンを回転する等の操作をすることなしにプルハンドル１を引くだけで室内側および室外側ともに解錠して扉３を開放することができるので、操作が簡単であることは言うまでもなく、特に、例えば停電などのような暗闇や緊急時にも慌てることがない。
【００２７】
加えて、施錠時に室内側からプルハンドル１を操作できない緊急時には、前記連結軸９３の軸端に配置した取付座５に露出している操作溝９８にドライバーやコインなどの回転操作具（図示せず）を差し込んで連結軸９３を強制的に回転させることにより操作片７４を元の下方位置に復帰させるとともに規制板８２も元の下方位置に復帰させてプッシュハンドル２の軸着部２１裏面に形成した規制面８１との接合して解除することにより外側から扉３を簡単に開けることができる。
【００２８】
尚、本実施の形態は、室内側にプルハンドル１を室外側にプッシュハンドル２を配置した場合を示したが、逆に室内側にプッシュハンドル２を室外側にプルハンドル１を配置した場合にも同様に実施することができる（図示せず）。
【００２９】
【発明の効果】
以上のように本発明によると、室内側から室内側および室外側のハンドルを施錠可能にするとともに、室内側のハンドルを開方向へ操作するだけで室内側および室外側のハンドルを解錠可能なプッシュプル錠の施錠装置を提供するものである。  従って、停電による暗転や緊急時にあっても、通常のハンドルを引くだけの簡単な開放操作で解錠して扉を開けることが可能で、きわめて便利で安全である。
【図面の簡単な説明】
【図１】本発明の好ましい実施の形態の一例を示す縦断面図。
【図２】図１のＡ−Ａ線に沿う断面図。
【図３】図１のＢ−Ｂ線に沿う断面図。
【図４】図１のＣ−Ｃ線に沿う断面図。
【図５】図１のＤ−Ｄ線に沿う断面図。
【図６】図１に示した実施例の解錠状態を示す分解斜視図。
【図７】図１に示した実施例の施錠状態を示す分解斜視図。
【図８】図１に示した実施例の要部を示す部分斜視図。
【符号の説明】
１  プルハンドル、２  プッシュハンドル、３  扉、４  取付座、５  取付座、６  錠本体、７  内側施錠機構、８  外側施錠機構、９  連結部材、  １１  軸着部、２１  軸着部、３３  縦框、３４  埋込溝、４３  蝶着軸      ５３  蝶着軸
６２  ラッチ、７１  第１係止部、７２  第２係止部、７３  操作摘、７４  操作片、７５  付勢部材、８１  規制面、８２  規制板、９３  連結軸、９４  偏心カム、９５  偏心カム、９８  操作溝
【図１】
2004218191.tif 000003
【図２】
2004218191.tif 000004
【図３】
2004218191.tif 000005
【図４】
2004218191.tif 000006
【図５】
2004218191.tif 000007
【図６】
2004218191.tif 000008
【図７】
2004218191.tif 000009
【図８】
2004218191.tif 000010